(57)【要約】      （修正有）【課題】米袋等の袋体を簡単な操作で略９０度転回することができ、より簡素な構造で占有スペースも小さく、軽量かつ低廉に製作できる袋体搬送具を提供する。【解決手段】本考案の袋体搬送具１は、略水平方向に延在して設けられ縦長の袋体を垂直方向に起立させた状態で袋体の底部が載置される第１袋体載置部２と、第１袋体載置部２の背面側に略垂直方向に延在して設けられ縦長の袋体を水平方向に倒した状態で袋体の側部が載置される第２袋体載置部３と、第２袋体載置部３の上方に設けられた搬送用把持部４ａ，４ｂと、第２袋体載置部３の背面側に設けられた搬送用車輪５ａ，５ｂとを有し、第２袋体載置部３は、背面側に略９０度回動可能に設けられ人の腰の高さレベルで略水平方向に延在可能な回動板６を有している。【選択図】図１
0003204210.tif 000002
【実用新案登録請求の範囲】
【請求項１】
略水平方向に延在して設けられ縦長の袋体を垂直方向に起立させた状態で袋体の底部が載置される第１袋体載置部と、該第１袋体載置部の背面側に略垂直方向に延在して設けられ縦長の袋体を略水平方向に倒した状態で袋体の側部が載置される第２袋体載置部と、該第２袋体載置部の上方に設けられた搬送用把持部と、前記第２袋体載置部の背面側に設けられた搬送用車輪とを有し、前記第２袋体載置部は、背面側に略９０度回動可能に設けられ人の腰の高さレベルで略水平方向に延在可能な回動板を有していることを特徴とする袋体搬送具。
【請求項２】
前記袋体搬送具は、一端側が軸支されて回動可能に設けられ前記第２袋体載置部の前記回動板の回動を係止するための回動板係止部材を有している請求項１に記載の袋体搬送具。
【請求項３】
前記袋体搬送具は、一端側が軸支されて回動可能に設けられ前記回動板の回動を係止した状態の前記回動板係止部材の回動を係止するためのロック部材を有している請求項２に記載の袋体搬送具。
【請求項４】
前記袋体搬送具は、前記第２袋体載置部の前記回動板の背面側において水平方向に延在する軸部を有し、前記回動板は前記軸部を中心として回動可能に設けられている請求項１ないし３のいずれかに記載の袋体搬送具。
【考案の詳細な説明】
【技術分野】
【０００１】
本考案は、米袋等重量物の袋体を搬送および転回するための袋体搬送具に関するものである。
【背景技術】
【０００２】
例えば米袋などの袋は横寸法に比して縦寸法が長く米を収容すると相当な重量物になる。このような縦長の重量物を人力で保持する場合、縦長に立てた状態で持ち上げると身体に負担が大きいため、腰の高さ辺りで横倒しにされた状態で抱えられることが望ましい。
このような重量物の袋体を略９０度転回するための袋体転回具としては、例えば本願出願人が提案した特許第４６５６５９０号公報の「袋体転回具」がある。
【０００３】
この袋体転回具も、米袋等の袋体を簡単な操作で略９０度転回することができ、小型で占有スペースも小さく軽量で低廉に製作できるものであるが、本願考案者は同様な効果を有し、さらに簡素な構造の袋体搬送具を想起し本考案を完成するに至った。
【先行技術文献】
【特許文献】
【０００４】
【特許文献１】特許第４６５６５９０号公報
【考案の概要】
【考案が解決しようとする課題】
【０００５】
すなわち、本考案の課題は、米袋等の袋体を簡単な操作で略９０度転回することができ、より簡素な構造で占有スペースも小さく、軽量かつ低廉に製作できる袋体搬送具を提供することにある。
【課題を解決するための手段】
【０００６】
上記課題を解決するものは、略水平方向に延在して設けられ縦長の袋体を垂直方向に起立させた状態で袋体の底部が載置される第１袋体載置部と、該第１袋体載置部の背面側に略垂直方向に延在して設けられ縦長の袋体を略水平方向に倒した状態で袋体の側部が載置される第２袋体載置部と、該第２袋体載置部の上方に設けられた搬送用把持部と、前記第２袋体載置部の背面側に設けられた搬送用車輪とを有し、前記第２袋体載置部は、背面側に略９０度回動可能に設けられ人の腰の高さレベルで略水平方向に延在可能な回動板を有していることを特徴とする袋体搬送具である。
【０００７】
前記袋体搬送具は、一端側が軸支されて回動可能に設けられ前記第２袋体載置部の前記回動板の回動を係止するための回動板係止部材を有していることが好ましい。前記袋体搬送具は、一端側が軸支されて回動可能に設けられ前記回動板の回動を係止した状態の前記回動板係止部材の回動を係止するためのロック部材を有していることが好ましい。前記袋体搬送具は、前記第２袋体載置部の前記回動板の背面側において水平方向に延在する軸部を有し、前記回動板は前記軸部を中心として回動可能に設けられていることが好ましい。
【考案の効果】
【０００８】
請求項１に記載した袋体搬送具によれば、米袋等の袋体を簡単な操作で略９０度転回することができ、より簡素な構造で占有スペースも小さく、軽量かつ低廉に製作できる。
請求項２に記載した袋体搬送具によれば、上記請求項１の効果に加え、第２袋体載置部に袋体を載置して搬送する際に回動板を保持することができる。
請求項３に記載した袋体搬送具によれば、上記請求項１または２の効果に加え、回動板係止部材の回動を係止して、回動板係止部材による回動板の下支え状態が容易に外れないようにロックすることができる。
請求項４に記載した袋体搬送具によれば、上記請求項１ないし３の効果に加え、回動する回動板を簡素な構造で作製できる。
【図面の簡単な説明】
【０００９】
【図１】本考案の袋体搬送具の一実施例の斜視図である。
【図２】図１に示した袋体搬送具の作用を説明するための斜視図である。
【図３】図１に示した袋体搬送具の背面図である。
【図４】図１に示した袋体搬送具の作用を説明するための斜視図である。
【図５】図１に示した袋体搬送具の作用を説明するための右側面図である。
【図６】図１に示した袋体搬送具の作用を説明するための右側面図である。
【図７】図１に示した袋体搬送具の作用を説明するための右側面図である。
【考案を実施するための形態】
【００１０】
本考案では、略水平方向に延在して設けられ縦長の袋体５０を垂直方向に起立させた状態で袋体５０の底部５０ａが載置される第１袋体載置部２と、第１袋体載置部２の背面側に略垂直方向に延在して設けられ縦長の袋体５０を略水平方向に倒した状態で袋体５０の側部５０ｂが載置される第２袋体載置部３と、第２袋体載置部３の上方に設けられた搬送用把持部４ａ，４ｂと、第２袋体載置部３の背面側に設けられた搬送用車輪５ａ，５ｂとを有し、第２袋体載置部３は、背面側に略９０度回動可能に設けられ人の腰の高さレベルで略水平方向に延在可能な回動板６を有していることで、米袋等の袋体を簡単な操作で略９０度転回することができ、より簡素な構造で占有スペースも小さく、軽量かつ低廉に製作できる袋体搬送具１を実現した。
【実施例１】
【００１１】
本考案の袋体搬送具を図１ないし図７に示した一実施例を用いて説明する。
この実施例の袋体搬送具１は、略水平方向に延在して設けられ縦長の袋体５０を垂直方向に起立させた状態で袋体５０の底部５０ａが載置される第１袋体載置部２と、第１袋体載置部２の背面側に略垂直方向に延在して設けられ縦長の袋体５０を水平方向に倒した状態で袋体５０の側部５０ｂが載置される第２袋体載置部３と、第２袋体載置部３の上方に設けられた搬送用把持部４ａ，４ｂと、第２袋体載置部３の背面側に設けられた搬送用車輪５ａ，５ｂとを有し、第２袋体載置部３は、背面側に略９０度回動可能に設けられ人の腰の高さレベルで略水平方向に延在可能な回動板６を有している。以下、各構成について順次詳述する。
【００１２】
第１袋体載置部２は、縦長の袋体５０を垂直方向に起立させた状態（図５の状態）で袋体５０の底部５０ａを載置する部位であり、この実施例では、図１または図５に示すように、袋体搬送具１を起立させた状態で、略Ｕ字型フレームが略水平方向に延在するように設けられることで構成されている。
【００１３】
第２袋体載置部３は、縦長の袋体５０を略水平方向に倒した状態（図６の状態）で袋体５０の側部５０ｂが載置される部位であり、図１または図５に示すように、袋体搬送具１を起立させた状態で、第１袋体載置部２の一側方（本体部側）において略垂直方向に延在するように設けられることで構成されている。
【００１４】
そして、この第２袋体載置部３は、図２または図７に示すように、背面側に略９０度回動可能に設けられ人の腰の高さレベルで略水平方向に延在可能な回動板６を有している。
【００１５】
この回動板６は、使用者が特に深く屈むことなく横倒しの袋体５０を抱えることができ、身体への負担をより小さくするためのものである。具体的には、この実施例の回動板６は、図３に示すように、第２袋体載置部３の回動板６の背面側において水平方向に延在する軸部７が両側フレーム３ａ，３ｂ間に掛け渡されて固着されており、この軸部７を回動可能に保持する軸受け部材８ａ，８ｂが回動板６の背面側に溶接されることにより、軸部７を中心として回動可能に構成されている。
【００１６】
そして、この回動板６を背面側に向かって回動させると、略９０度回動した付近で、図２または図７に示すように、回動板６の背面がストッパー９に当接して停止するため、回動板６の水平方向への延在状態が保持されるように構成されている。なお、ストッパー９は、図３または図７に示すように、両側フレーム３ａ，３ｂから背面側に向かって水平方向に延在する垂下フレーム１０の先端に離間して固着され垂直方向に延在する２枚の板状体から構成されている。
【００１７】
また、袋体搬送具１は、図２に示すように、把持部用フレーム１２ａに設けられた支持片１３ａに一端１４ａ側が軸支されて回動可能に設けられ第２袋体載置部３の回動板６の回動を係止するための回動板係止部材１４を有している。これにより、第２袋体載置部３に袋体５０を載置して搬送する際に回動板６を保持することができる。
【００１８】
具体的には、回動板係止部材１４は、第２袋体載置部３に袋体５０を載置して搬送する際には、図４に示すように、他端１４ｂが把持部用フレーム１２ｂに設けられた支持片１３ｂに載置され、これにより、把持部用フレーム１２ａ，１２ｂ間に掛け渡されて回動板６の一端辺部を下支えするように構成されている。他方、回動板６を背面側に回動させる際には、把持部１４Ｃを把持して図４中想像線に示すように回動板係止部材１４を回動させ、回動板６の下支えを解除できるように構成されている。
【００１９】
さらに、袋体搬送具１は、図４に示すように、後輪取付用フレーム１５ｂに設けられた支持片１６に一端側１７ａが軸支されて回動可能に設けられ回動板６の回動を係止した状態の回動板係止部材１４の回動を係止するためのロック部材１７を有している。これにより、回動板係止部材１４の回動を係止して、回動板係止部材１４による回動板６の下支え状態が容易に外れないようにロックすることができるよう構成されている。
【００２０】
具体的には、ロック部材１７は、第２袋体載置部３に袋体５０を載置して搬送する際には、図４に示すように、回動板６の一端辺部を下支えしている回動板係止部材１４が外れないように、支持片１３ｂの先端側に設けられた孔（図示しない）にロック部材１７の先端が挿入されることで支持片１３ｂに係止され、これにより、ロック部材１７の先端側が回動板係止部材１４の回動を阻害することで回動板係止部材１４が外れないように構成されている。他方、回動板６を背面側に回動させる際には、図４中想像線に示すようにロック部材１７を回動させて回動板係止部材１４の回動阻止状態が解除できるように構成されている。
【００２１】
搬送用把持部４ａ，４ｂは、図６に示すように、この実施例の袋体搬送具１によって袋体５０を搬送する際に両手で把持するための部位であり、袋体搬送具１を起立させた状態で、図１に示すように、第２袋体載置部３の上方に設けられている。具体的には、この実施例の搬送用把持部４ａ，４ｂは、上方に向かって突出するように設けられた２本の把持部用フレーム１２ａ，１２ｂの上端部にそれぞれ取り付けられた樹脂製グリップにて構成されている。
【００２２】
搬送用車輪５ａ，５ｂは、第２袋体載置部３の背面側に設けられており、図６に示すように、袋体搬送具１によって袋体５０を搬送する際に前輪または後輪として使用されるものである。
【００２３】
前輪である搬送用車輪５ａは、図３に示すように、前輪取付用フレーム１８によって袋体搬送具１の図３中下部中央付近に回動可能に取り付けられ、後輪である搬送用車輪５ｂは、後輪取付用フレーム１５ａ，１５ｂによって袋体搬送具１の中段付近の両側にそれぞれ回動可能に取り付けられている。そして、搬送用把持部４ａ，４ｂを両手で把持して、図６中左右方向にそれぞれ移動させることにより、袋体５０を所要な場所に移動することができるよう構成されている。
【００２４】
なお、上記各種フレームを形成する材料としては、金属製パイプや金属製棒状体などが好適に使用でき、回動板などの板状体を形成する材料としては、樹脂製材料、木製材料または金属製材料などが好適に使用できる。このように、この実施例の袋体搬送具１は、フレームなどの骨組みと板状体から構成でき、軽量かつ小型で占有スペースも小さく極めて低廉に製作することができる。
【００２５】
つぎに、本考案の袋体搬送具１の作用を図５ないし図７に示した使用例を用いて説明する。
この使用例は、計量器の米袋載置台２０上に置かれた袋体（米袋）５０を袋体搬送具１によって移動して所要な位置で横倒しする場合を示している。
まず、搬送用把持部４ａ，４ｂを両手で把持して、図５に示すように、計量器の米袋載置台２０付近で袋体搬送具１を起立させる。そして、計量器の米袋載置台２０に置かれた袋体（米袋）５０をＨ方向に降下させ、第１袋体載置部２上に載置する。
【００２６】
つぎに、搬送用把持部４ａ，４ｂを両手で把持して、袋体搬送具１の起立状態を解除すると、図６に示すように、搬送用車輪５ａ，５ｂにて移動可能となることから、搬送用把持部４ａ，４ｂを把持して所望の位置へ移動させる。そして、所望の位置にて、図７に示すように、袋体搬送具１の起立状態とし、ロック部材１７を回動させ、さらに、回動板係止部材１４を回動させると、回動板６が背面側に略９０度回動し、これに伴って袋体（米袋）５０も横倒しの状態となる。横倒しとなった袋体（米袋）５０は、使用者の腰付近に位置するため、両手で容易に抱えることができ、後の処理のための場所（例えば積載所）などに容易に移動させることができる。
【００２７】
以上のように、本発明の袋体転回具は、小型で占有スペースも小さく軽量で低廉に製作できると共に、米袋等の袋体を簡単な操作で略９０度転回することができ、重量物となった袋体を持ち上げる際の身体への負担を著しく低減でき、袋体重量物の取り扱いが極めて容易なものとなる。
【符号の説明】
【００２８】
１              袋体搬送具
２              第１袋体載置部
３              第２袋体載置部
４ａ，４ｂ      搬送用把持部
５ａ，５ｂ      搬送用車輪
６              回動板
７              軸部
８ａ，８ｂ      軸受け部材
９              ストッパー
１０            垂下フレーム
１２ａ，１２ｂ  把持部用フレーム
１３ａ，１３ｂ  支持片
１４            回動板係止部材
１５ａ，１５ｂ  後輪取付用フレーム
１６            支持片
１７            ロック部材
１８            前輪取付用フレーム
２０            米袋載置台
５０            袋体
５０ａ          底部
５０ｂ          側部
【図１】
0003204210.tif 000003
【図２】
0003204210.tif 000004
【図３】
0003204210.tif 000005
【図４】
0003204210.tif 000006
【図５】
0003204210.tif 000007
【図６】
0003204210.tif 000008
【図７】
0003204210.tif 000009